(57)【要約】【課題】原料ガス供給配管内のガス圧が異常に低下した場合に、速やかに原料ガスの供給を停止できる燃料電池発電装置システムを提供する。【解決手段】ガス側制御手段５は、ガス圧異常検知手段９により検知したガス圧（水素生成装置１とガス供給弁１０との間に位置する原料ガス配管内のガス圧）が所定値よりも低くなるまではガス側制御手段５に関連する複数の情報を所定の周期で電装側制御手段４に送信するが、ガス圧異常検知手段９により検知したガス圧が所定値よりも低い異常な圧力になるとガス圧異常検知手段９により検知したガス圧情報を最優先で送り、電装側制御手段４は、ガス圧異常検知手段９により検知されガス側制御手段５を介して伝えられたガス圧情報に基づいてガス供給弁１０を閉じる。そのため、原料ガス配管内のガス圧が異常に低くなった場合に、速やかにガス供給弁１０を閉じて水素生成装置１への原料ガスの供給を停止できる。【選択図】図１
2011165318.tif 000002
【特許請求の範囲】
【請求項１】
可燃性の原料ガスから水素を主成分とする燃料ガスを生成する水素生成装置と、前記水素生成装置により生成された前記燃料ガスと酸化剤ガスとを用いて直流電力を発電するスタックと、前記スタックにより発電した直流電力を系統に連系可能な交流電力に変換する電力変換装置と、前記水素生成装置と前記スタックとを制御するガス側制御手段と、前記ガス側制御手段と通信を行い前記電力変換装置を制御する電装側制御手段と、前記水素生成装置に前記原料ガスを供給する原料ガス配管に設けられ前記電装側制御手段により制御され閉弁時に前記水素生成装置への前記原料ガスの供給を止めるガス供給弁と、前記ガス側制御手段と接続され前記水素生成装置と前記ガス供給弁との間に位置する前記原料ガス配管内のガス圧を検知するガス圧異常検知手段と、内部が隔壁により二つの空間に区画され前記二つの空間の内の一方の空間に前記水素生成装置と前記スタックと前記ガス側制御手段と前記ガス供給弁と前記ガス圧異常検知手段とを収納し前記二つの空間の内の他方の空間における前記水素生成装置と前記スタックよりも高い位置に前記電力変換装置と前記電装側制御手段とを収納する筐体とを備え、前記ガス側制御手段は、前記ガス圧異常検知手段により検知したガス圧が所定値よりも低くなるまでは前記ガス側制御手段に関連する複数の情報を所定の周期で前記電装側制御手段に送信するが、前記ガス圧異常検知手段により検知したガス圧が所定値よりも低い異常な圧力になると前記ガス圧異常検知手段により検知したガス圧情報を最優先で送り、前記電装側制御手段は、前記ガス圧異常検知手段により検知され前記ガス側制御手段を介して伝えられた前記ガス圧情報に基づいて前記ガス供給弁を閉じることを特徴とする燃料電池発電装置システム。
【請求項２】
可燃性の原料ガスから水素を主成分とする燃料ガスを生成する水素生成装置と、前記水素生成装置により生成された前記燃料ガスと酸化剤ガスとを用いて直流電力を発電するスタックと、前記スタックにより発電した直流電力を系統に連系可能な交流電力に変換する電力変換装置と、前記水素生成装置に前記原料ガスを供給する原料ガス配管に設けられ閉弁時に前記水素生成装置への前記原料ガスの供給を止めるガス供給弁と、前記水素生成装置と前記ガス供給弁との間に位置する前記原料ガス配管内のガス圧を検知するガス圧異常検知手段と、前記ガス圧異常検知手段と接続され少なくとも前記電力変換装置とガス供給弁とを制御する電装側制御手段と、内部が隔壁により二つの空間に区画され前記二つの空間の内の一方の空間に前記水素生成装置と前記スタックと前記ガス供給弁と前記ガス圧異常検知手段とを収納し前記二つの空間の内の他方の空間における前記水素生成装置と前記スタックよりも高い位置に前記電力変換装置と前記電装側制御手段とを収納する筐体とを備え、前記電装側制御手段は、前記ガス圧異常検知手段により検知されたガス圧が通常より低い異常な圧力になると前記ガス供給弁を閉じることを特徴とする燃料電池発電装置システム。
【発明の詳細な説明】
【技術分野】
【０００１】
本発明は、可燃性の原料ガスから生成した燃料ガスを用いて発電する燃料電池発電装置システムに関するものである。
【背景技術】
【０００２】
従来、この種の燃料電池発電装置システムは、水素生成装置により都市ガスやプロパンガスなどの原料ガスから水素を主成分とする燃料ガスを生成し、生成した水素と空気中の酸素とを反応させて発電を行う。
【０００３】
このように、燃料電池発電装置などのコージェネレーションシステムのガスを使用する機器においては、水素生成装置から可燃ガスが万一流出した場合においても電装部に流入しないように、スタックや水素生成装置などのガス部と電力変換装置や制御手段などの電装部を隔壁で分離することで、電装部へガスが流れ込み難く爆発を未然に防止する構造にしているものもある（例えば、特許文献１参照）。
【０００４】
また、燃料電池発電装置システムの機能を、システム全体の制御を行う主局制御部、水素生成装置の制御を行う水素生成装置制御部、スタック制御部、インバータ制御部などに大別し、制御機能を分散化することで、断線や誤接続等のリスクを大幅に減少させているものもある（例えば、特許文献２参照）。
【０００５】
図４は、特許文献１に開示された従来の燃料電池発電装置システムを示すものである。図４に示すように、従来の燃料電池発電装置システムは、可燃性の原料ガスから水素を主成分とする燃料ガスを生成する水素生成装置１と、水素生成装置１により生成された燃料ガスと酸化剤ガスとを用いて直流電力を発電するスタック２と、スタック２により発電した直流電力を系統に連系可能な交流電力に変換する電力変換装置３と、水素生成装置１とスタック２とを制御するガス側制御手段５と、ガス側制御手段５と通信を行い電力変換装置３を制御する電装側制御手段４と、内部が隔壁７により二つの空間に区画され二つの空間の内の一方の空間に水素生成装置１とスタック２とガス側制御手段５とを収納し二つの空間の内の他方の空間に電力変換装置３と電装側制御手段４とを収納する筐体６とを備えている。
【先行技術文献】
【特許文献】
【０００６】
【特許文献１】特開平５−２９０８６８号公報
【特許文献２】特開２００７−２４２３３０号公報
【発明の概要】
【発明が解決しようとする課題】
【０００７】
しかしながら、上記従来の構成では、ガス側制御手段５に関連する情報は所定の通信周期でガス側制御手段５から電装側制御手段４に送信しており、原料ガス供給配管内のガス圧が所定値より低下した場合も一定の時間を待たないとガス圧の異常を電装側制御手段４に送ることができず、所定値より低下した異常時においても瞬時に閉弁することができないので、原料ガス配管内のガス圧を負圧にしてしまうという課題を有していた。
【０００８】
本発明は、上記従来の課題を解決するもので、原料ガス供給配管内のガス圧が異常に低下した場合に、速やかに原料ガスの供給を停止できる燃料電池発電装置システムを提供することを目的とする。
【課題を解決するための手段】
【０００９】
上記目的を達成するために、本発明の燃料電池発電装置システムは、可燃性の原料ガスから水素を主成分とする燃料ガスを生成する水素生成装置と、前記水素生成装置により生成された前記燃料ガスと酸化剤ガスとを用いて直流電力を発電するスタックと、前記スタックにより発電した直流電力を系統に連系可能な交流電力に変換する電力変換装置と、前記水素生成装置と前記スタックとを制御するガス側制御手段と、前記ガス側制御手段と通信を行い前記電力変換装置を制御する電装側制御手段と、前記水素生成装置に前記原料ガスを供給する原料ガス配管に設けられ前記電装側制御手段により制御され閉弁時に前記水素生成装置への前記原料ガスの供給を止めるガス供給弁と、前記ガス側制御手段と接続され前記水素生成装置と前記ガス供給弁との間に位置する前記原料ガス配管内のガス圧を検知するガス圧異常検知手段と、内部が隔壁により二つの空間に区画され前記二つの空間の内の一方の空間に前記水素生成装置と前記スタックと前記ガス側制御手段と前記ガス供給弁と前記ガス圧異常検知手段とを収納し前記二つの空間の内の他方の空間における前記水素生成装置と前記スタックよりも高い位置に前記電力変換装置と前記電装側制御手段とを収納する筐体とを備え、前記ガス側制御手段は、前記ガス圧異常検知手段により検知したガス圧が所定値よりも低くなるまでは前記ガス側制御手段に関連する複数の情報を所定の周期で前記電装側制御手段に送信するが、前記ガス圧異常検知手段により検知したガス圧が所定値よりも低い異常な圧力になると前記ガス圧異常検知手段により検知したガス圧情報を最優先で送り、前記電装側制御手段は、前記ガス圧異常検知手段により検知され前記ガス側制御手段を介して伝えられた前記ガス圧情報に基づいて前記ガス供給弁を閉じるように構成されている。
【００１０】
上記構成において、ガス側制御手段は、ガス圧異常検知手段により検知したガス圧が所定値よりも低くなるまではガス側制御手段に関連する複数の情報を所定の周期で電装側制御手段に送信するが、ガス圧異常検知手段により検知したガス圧が所定値よりも低い異常な圧力になるとガス圧異常検知手段により検知したガス圧情報を最優先で送り、電装側制御手段は、ガス圧異常検知手段により検知されガス側制御手段を介して伝えられたガス圧情報に基づいてガス供給弁を閉じるので、原料ガス供給配管内のガス圧が異常に低下した場合に、速やかに原料ガスの供給を停止できる。
【００１１】
また、別の本発明は、可燃性の原料ガスから水素を主成分とする燃料ガスを生成する水素生成装置と、前記水素生成装置により生成された前記燃料ガスと酸化剤ガスとを用いて直流電力を発電するスタックと、前記スタックにより発電した直流電力を系統に連系可能な交流電力に変換する電力変換装置と、前記水素生成装置に前記原料ガスを供給する原料ガス配管に設けられ閉弁時に前記水素生成装置への前記原料ガスの供給を止めるガス供給弁と、前記水素生成装置と前記ガス供給弁との間に位置する前記原料ガス配管内のガス圧を検知するガス圧異常検知手段と、前記ガス圧異常検知手段と接続され少なくとも前記電力変換装置とガス供給弁とを制御する電装側制御手段と、内部が隔壁により二つの空間に区画され前記二つの空間の内の一方の空間に前記水素生成装置と前記スタックと前記ガス供給弁と前記ガス圧異常検知手段とを収納し前記二つの空間の内の他方の空間における前記水素生成装置と前記スタックよりも高い位置に前記電力変換装置と前記電装側制御手段とを収納する筐体とを備え、前記電装側制御手段は、前記ガス圧異常検知手段により検知されたガス圧が通常より低い異常な圧力になると前記ガス供給弁を閉じるように構成されている。
【００１２】
上記構成において、ガス圧異常検知手段は直接に電装側制御手段と接続され、電装側制御手段は、ガス圧異常検知手段により検知されたガス圧が通常より低い異常な圧力になると前記ガス供給弁を閉じるので、原料ガス供給配管内のガス圧が異常に低下した場合に、速やかに原料ガスの供給を停止できる。
【発明の効果】
【００１３】
本発明の燃料電池発電装置システムは、原料ガス供給配管内のガス圧が所定値より低い異常な圧力になると、速やかにガス供給弁を閉じガスの供給を停止することができる。また、水素生成装置またはスタックまたはそれらの周辺部からの可燃性の原料ガスや燃料ガスの漏れがあったとしても、また、水素生成装置またはスタックまたはそれらの周辺部からの水漏れがあったとしても、電力変換装置と電装側制御手段は、そのガス漏れや水漏れの影響を受けにくい。
【図面の簡単な説明】
【００１４】
【図１】本発明の実施の形態１における燃料電池発電装置システムの構成図
【図２】同実施の形態の燃料電池発電装置システムのガス供給弁の閉動作時の制御を示すフローチャート
【図３】本発明の実施の形態２における燃料電池発電装置システムの構成図
【図４】従来の燃料電池発電装置システムの構成図
【発明を実施するための形態】
【００１５】
第1の発明は、可燃性の原料ガスから水素を主成分とする燃料ガスを生成する水素生成装置と、前記水素生成装置により生成された前記燃料ガスと酸化剤ガスとを用いて直流電力を発電するスタックと、前記スタックにより発電した直流電力を系統に連系可能な交流電力に変換する電力変換装置と、前記水素生成装置と前記スタックとを制御するガス側制御手段と、前記ガス側制御手段と通信を行い前記電力変換装置を制御する電装側制御手段と、前記水素生成装置に前記原料ガスを供給する原料ガス配管に設けられ前記電装側制御手段により制御され閉弁時に前記水素生成装置への前記原料ガスの供給を止めるガス供給弁と、前記ガス側制御手段と接続され前記水素生成装置と前記ガス供給弁との間に位置する前記原料ガス配管内のガス圧を検知するガス圧異常検知手段と、内部が隔壁により二つの空間に区画され前記二つの空間の内の一方の空間に前記水素生成装置と前記スタックと前記ガス側制御手段と前記ガス供給弁と前記ガス圧異常検知手段とを収納し前記二つの空間の内の他方の空間における前記水素生成装置と前記スタックよりも高い位置に前記電力変換装置と前記電装側制御手段とを収納する筐体とを備え、前記ガス側制御手段は、前記ガス圧異常検知手段により検知したガス圧が所定値よりも低くなるまでは前記ガス側制御手段に関連する複数の情報を所定の周期で前記電装側制御手段に送信するが、前記ガス圧異常検知手段により検知したガス圧が所定値よりも低い異常な圧力になると前記ガス圧異常検知手段により検知したガス圧情報を最優先で送り、前記電装側制御手段は、前記ガス圧異常検知手段により検知され前記ガス側制御手段を介して伝えられた前記ガス圧情報に基づいて前記ガス供給弁を閉じることを特徴とする燃料電池発電装置システムである。
【００１６】
上記構成において、ガス側制御手段は、ガス圧異常検知手段により検知したガス圧が所定値よりも低くなるまではガス側制御手段に関連する複数の情報を所定の周期で電装側制御手段に送信するが、ガス圧異常検知手段により検知したガス圧が所定値よりも低い異常な圧力になるとガス圧異常検知手段により検知したガス圧情報を最優先で送り、電装側制御手段は、ガス圧異常検知手段により検知されガス側制御手段を介して伝えられたガス圧情報に基づいてガス供給弁を閉じるので、原料ガス供給配管内のガス圧が異常に低下した場合に、速やかに原料ガスの供給を停止できる。
【００１７】
また、筐体の内部が隔壁により二つの空間に区画され、二つの空間の内の一方の空間に水素生成装置とスタックとガス側制御手段とガス供給弁とガス圧異常検知手段とを収納し、二つの空間の内の他方の空間における水素生成装置とスタックよりも高い位置に電力変換装置と電装側制御手段とを収納するので、水素生成装置またはスタックまたはそれらの周辺部からの可燃性の原料ガスや燃料ガスの漏れがあったとしても、また、水素生成装置またはスタックまたはそれらの周辺部からの水漏れがあったとしても、電力変換装置と電装側制御手段は、そのガス漏れや水漏れの影響を受けにくい。
【００１８】
第２の発明は、可燃性の原料ガスから水素を主成分とする燃料ガスを生成する水素生成装置と、前記水素生成装置により生成された前記燃料ガスと酸化剤ガスとを用いて直流電力を発電するスタックと、前記スタックにより発電した直流電力を系統に連系可能な交流電力に変換する電力変換装置と、前記水素生成装置に前記原料ガスを供給する原料ガス配管に設けられ閉弁時に前記水素生成装置への前記原料ガスの供給を止めるガス供給弁と、前記水素生成装置と前記ガス供給弁との間に位置する前記原料ガス配管内のガス圧を検知するガス圧異常検知手段と、前記ガス圧異常検知手段と接続され少なくとも前記電力変換装置とガス供給弁とを制御する電装側制御手段と、内部が隔壁により二つの空間に区画され前記二つの空間の内の一方の空間に前記水素生成装置と前記スタックと前記ガス供給弁と前記ガス圧異常検知手段とを収納し前記二つの空間の内の他方の空間における前記水素生成装置と前記スタックよりも高い位置に前記電力変換装置と前記電装側制御手段とを収納する筐体とを備え、前記電装側制御手段は、前記ガス圧異常検知手段により検知されたガス圧が通常より低い異常な圧力になると前記ガス供給弁を閉じることを特徴とする燃料電池発電装置システムである。
【００１９】
上記構成において、ガス圧異常検知手段は直接、電装側制御手段と接続され、ガス圧異常検知手段により検出されたガス圧の情報を直接、電装側制御手段が取得する構成となっており、電装側制御手段は、ガス圧異常検知手段により検知されたガス圧が通常より低い異常な圧力になると前記ガス供給弁を閉じるので、原料ガス供給配管内のガス圧が異常に低下した場合に、速やかに原料ガスの供給を停止できる。
【００２０】
また、筐体の内部が隔壁により二つの空間に区画され、二つの空間の内の一方の空間に水素生成装置とスタックとガス供給弁とガス圧異常検知手段とを収納し、二つの空間の内の他方の空間における水素生成装置とスタックよりも高い位置に電力変換装置と電装側制御手段とを収納するので、水素生成装置またはスタックまたはそれらの周辺部からの可燃性の原料ガスや燃料ガスの漏れがあったとしても、また、水素生成装置またはスタックまたはそれらの周辺部からの水漏れがあったとしても、電力変換装置と電装側制御手段は、そのガス漏れや水漏れの影響を受けにくい。
【００２１】
以下、本発明の燃料電池発電装置システムの実施の形態について、図面を参照しながら説明する。なお、本実施の形態によって本発明が限定されるものではない。
【００２２】
（実施の形態１）
図１は、本発明の実施の形態１における燃料電池発電装置システムの構成図、図２は、同実施の形態の燃料電池発電装置システムのガス供給弁の閉動作時の制御を示すフローチャートである。
【００２３】
図１に示すように、筐体６は、原料（例えば天然ガスなど）を水蒸気改質し水素を主成分とする燃料ガスを生成する水素生成装置１と、水素生成装置１により生成された燃料ガスと酸化剤ガスとを用いて発電を行うスタック２と、スタック２により発電した直流電力を系統に連系可能な交流電力に変換する電力変換装置３と、ガスを用いて動作をする水素生成装置１とスタック２とを制御するガス側制御手段５と、ガス側制御手段５と通信を行い電力変換装置３を制御する電装側制御手段４と、原料ガス配管に設けられたガス供給弁１０と、ガス側制御手段５と接続され水素生成装置１とガス供給弁１０との間に位置するガス圧異常検知手段９を有しており、筐体６は隔壁７により二つの空間に区画され、二つの空間の内の一方の空間に水素生成装置１とスタック２とガス側制御手段５とガス供給弁１０とガス圧異常検知手段９とを収納し、二つの空間の他方の、水素生成装置1とスタック２よりも高い空間に電力変換装置３と電装側制御手段４とを収納している。
【００２４】
以上のように構成された本実施の形態の燃料電池発電装置システムについて、以下その動作、作用を説明する。
【００２５】
まず、筐体６は、水素生成装置１により都市ガスなどの原料ガスを、水素を主成分とする燃料ガスである水素ガスに生成し、生成した水素ガスと酸化剤ガスとを反応させて発電を行う。原料ガスはガス圧異常検知手段９によりガス側制御手段５が取得した原料ガス配管内のガス圧の情報を、所定の通信周期毎に電装側制御手段４へ送信し電装側制御手段４はガス圧が所定値以上であればガス供給弁１０を開き水素生成装置１に供給する。
【００２６】
原料ガス配管内のガス圧は各家庭等に備えられているマイコンメーターの遮断により低下していき、マイコンメーターは大きな地震の発生時や異常に長い時間流量の変動なくガスが流れ続けた場合や急激にガス量が増加したりガスの圧力が低下した場合に、自動的にガスを遮断する。このようなマイコンメーター遮断時に原料ガス配管内のガス圧が低下するが、ガス圧が所定値より低い異常な圧力になった場合には原料ガス配管内が負圧になるのを防ぐために速やかにガス供給弁１０を閉じ、ガス供給を停止する必要がある。しかしガス圧の情報はガス側制御手段５が取得しているため電装側制御手段４に異常が送信されるまでに一定の時間がかかってしまい、その間にガス圧は低下し原料ガス配管内が負圧になるおそれがある。
【００２７】
次に、図２のフローチャートを参照しながら説明する。ガス圧異常検知手段９により検知した水素生成装置１とガス供給弁１０との間に位置する原料ガス配管内のガス圧が所定値以上である時は、図２の（Ｓ−１）をＮｏ側に分岐して、ガス側制御手段５は、所定の通信周期にてガス側制御手段５に関する複数の情報を電装側制御手段４に送信する（Ｓ−１）。しかし、ガス圧異常検知手段９により検知した水素生成装置１とガス供給弁１０との間に位置する原料ガス配管内のガス圧が所定値より低い異常なガス圧になれば、図２の（Ｓ−１）をＹｅｓ側に分岐して、ガス側制御手段５は、ガス圧異常検知手段９により検知したガス圧情報を、通常の通信周期ではなく最優先で電装側制御手段４に送信し（Ｓ−３）、電装側制御手段４は、ガス圧異常検知手段９により検知されガス側制御手段５を介して伝えられたガス圧情報に基づいてガス供給弁１０を閉じる（Ｓ−４）。
【００２８】
以上のように、本実施の形態の燃料電池発電装置システムは、可燃性の原料ガスから水素を主成分とする燃料ガスを生成する水素生成装置１と、水素生成装置１により生成された燃料ガスと酸化剤ガス（空気）とを用いて直流電力を発電するスタック２と、スタック２により発電した直流電力を系統に連系可能な交流電力に変換する電力変換装置３と、水素生成装置１とスタック２とを制御するガス側制御手段５と、ガス側制御手段５と通信を行い電力変換装置３を制御する電装側制御手段４と、水素生成装置１に原料ガスを供給する原料ガス配管に設けられ電装側制御手段４により制御され閉弁時に水素生成装置１への原料ガスの供給を止めるガス供給弁１０と、ガス側制御手段５と接続され水素生成装置１とガス供給弁１０との間に位置する原料ガス配管内のガス圧を検知するガス圧異常検知手段９と、内部が隔壁７により二つの空間に区画され二つの空間の内の一方の空間に水素生成装置１とスタック２とガス側制御手段５とガス供給弁１０とガス圧異常検知手段９とを収納し二つの空間の内の他方の空間における水素生成装置１とスタック２よりも高い位置に電力変換装置３と電装側制御手段４とを収納する筐体６とを備え、ガス側制御手段５は、ガス圧異常検知手段９により検知したガス圧が所定値よりも低くなるまではガス側制御手段５に関連する複数の情報を所定の周期で電装側制御手段４に送信するが、ガス圧異常検知手段９により検知したガス圧が所定値よりも低い異常な圧力になるとガス圧異常検知手段９により検知したガス圧情報を最優先で送り、電装側制御手段４は、ガス圧異常検知手段９により検知されガス側制御手段５を介して伝えられたガス圧情報に基づいてガス供給弁１０を閉じることを特徴とする。
【００２９】
上記構成において、ガス側制御手段５は、ガス圧異常検知手段９により検知したガス圧（水素生成装置１とガス供給弁１０との間に位置する原料ガス配管内のガス圧）が所定値よりも低くなるまではガス側制御手段５に関連する複数の情報を所定の周期で電装側制御手段４に送信するが、ガス圧異常検知手段９により検知したガス圧が所定値よりも低い異常な圧力になるとガス圧異常検知手段９により検知したガス圧情報を最優先で送り、電装側制御手段４は、ガス圧異常検知手段９により検知されガス側制御手段５を介して伝えられたガス圧情報に基づいてガス供給弁１０を閉じる。
【００３０】
このように、原料ガス配管内のガス圧が所定値より低い異常な圧力になった場合には、ガス圧異常検知手段９により検出されたガス圧の情報を通常の通信周期ではなく、ガス側制御手段５から電装側制御手段４に優先的に送信することにより、電装側制御手段４は速やかにガス供給弁１０を閉じ水素生成装置への原料ガスの供給を停止することができる。
【００３１】
また、筐体６の内部が隔壁７により二つの空間に区画され、二つの空間の内の一方の空間に水素生成装置１とスタック２とガス側制御手段５とガス供給弁１０とガス圧異常検知手段９とを収納し、二つの空間の内の他方の空間における水素生成装置１とスタック２よりも高い位置に電力変換装置３と電装側制御手段４とを収納するので、水素生成装置１またはスタック２またはそれらの周辺部からの可燃性の原料ガスや燃料ガスの漏れがあったとしても、また、水素生成装置１またはスタック２またはそれらの周辺部からの水漏れがあったとしても、電力変換装置３と電装側制御手段４は、そのガス漏れや水漏れの影響を受けにくい。
【００３２】
（実施の形態２）
図３は、本発明の実施の形態２における燃料電池発電装置システムの構成図である。なお、本実施の形態において、実施の形態１と同一構成については、同一符号を付して、その詳細な説明は、省略する。
【００３３】
図３に示すように、筐体６は、水素生成装置１とスタック２と電力変換装置３とガス供給弁１０とガス圧異常検知手段９と、ガス圧異常検知手段９と接続され少なくとも電力変換装置３とガス供給弁１０とを制御する電装側制御手段４とを有しており、筐体６は隔壁７により二つの空間に区画され、二つの空間の内の一方の空間に水素生成装置１とスタック２とガス側制御手段５とガス供給弁１０とガス圧異常検知手段９とを収納し、二つの空間の他方の、水素生成装置1とスタック２よりも高い空間に電力変換装置３と電装側制御手段４とを収納している。
【００３４】
以上のように構成された本実施の形態の燃料電池発電装置システムについて、以下その動作、作用を説明する。
【００３５】
まず、原料ガス配管内のガス圧を検出するガス圧異常検知手段９はガス供給弁１０を制御する電装側制御手段４と接続されており、ガス圧異常検知手段９により電装側制御手段４が取得した原料ガス配管内のガス圧が所定値より低い異常な圧力になった場合には、電装側制御手段４によりガス供給弁１０を閉じガスの供給を停止する。
【００３６】
以上のように、本実施の形態の燃料電池発電装置システムは、可燃性の原料ガスから水素を主成分とする燃料ガスを生成する水素生成装置１と、水素生成装置１により生成された燃料ガスと酸化剤ガス（空気）とを用いて直流電力を発電するスタック２と、スタック２により発電した直流電力を系統に連系可能な交流電力に変換する電力変換装置３と、水素生成装置１に原料ガスを供給する原料ガス配管に設けられ閉弁時に水素生成装置１への原料ガスの供給を止めるガス供給弁１０と、水素生成装置１とガス供給弁１０との間に位置する原料ガス配管内のガス圧を検知するガス圧異常検知手段９と、ガス圧異常検知手段９と接続され少なくとも電力変換装置３とガス供給弁１０とを制御する電装側制御手段４と、内部が隔壁７により二つの空間に区画され二つの空間の内の一方の空間に水素生成装置１とスタック２とガス供給弁１０とガス圧異常検知手段９とを収納し二つの空間の内の他方の空間における水素生成装置１とスタック２よりも高い位置に電力変換装置３と電装側制御手段４とを収納する筐体６とを備え、電装側制御手段４は、ガス圧異常検知手段９により検知されたガス圧が通常より低い異常な圧力になるとガス供給弁１０を閉じることを特徴とする。
【００３７】
上記構成において、ガス圧異常検知手段９は直接、電装側制御手段４と接続され、ガス圧異常検知手段９により検出されたガス圧の情報を直接、電装側制御手段４が取得する構成となっており、電装側制御手段４は、ガス圧異常検知手段９により検知されたガス圧が通常より低い異常な圧力になるとガス供給弁１０を閉じるので、原料ガス供給配管内のガス圧が異常に低下した場合に、速やかに原料ガスの供給を停止できる。
【００３８】
また、筐体６の内部が隔壁７により二つの空間に区画され、二つの空間の内の一方の空間に水素生成装置１とスタック２とガス供給弁１０とガス圧異常検知手段９とを収納し、二つの空間の内の他方の空間における水素生成装置１とスタック２よりも高い位置に電力変換装置３と電装側制御手段４とを収納するので、水素生成装置１またはスタック２またはそれらの周辺部からの可燃性の原料ガスや燃料ガスの漏れがあったとしても、また、水素生成装置１またはスタック２またはそれらの周辺部からの水漏れがあったとしても、電力変換装置３と電装側制御手段４は、そのガス漏れや水漏れの影響を受けにくい。
【産業上の利用可能性】
【００３９】
以上のように、本発明にかかる燃料電池発電装置システムは、原料ガス供給配管内のガス圧が所定値より低い異常な圧力になると、速やかにガス供給弁を閉じガスの供給を停止するので、家庭用や業務用の燃料電池発電装置システムに適している。
【符号の説明】
【００４０】
１  水素生成装置
２  スタック
３  電力変換装置
４  電装側制御手段
５  ガス側制御手段
６  筐体
７  隔壁
９  ガス圧異常検知手段
１０  ガス供給弁
【図１】
2011165318.tif 000003
【図２】
2011165318.tif 000004
【図３】
2011165318.tif 000005
【図４】
2011165318.tif 000006